(57)【要約】      （修正有）【課題】軽くて安価に製作できると共に防水シートの開閉が素早く行え、且つ維持管理が極めて簡単であると共にその設置が極めて簡単に誰にでも行える貨物自動車用開閉テントを提供する。【解決手段】略コの字状の複数本の可動フレーム１と、荷台９の前部に固定した略コの字状の固定フレーム２と、荷台９の側板91上面に取付けたガイドレール３と、各ガイドレール３内部で滑動すると共に可動フレーム１の両端に固着した滑動部材と、固定フレーム２の一端側に取付けた滑車５と、固定フレーム２の他端側に取付けた２連滑車６と、一端を最後方の可動フレーム１に結び付けると共に中間部を滑車５と２連滑車６に通し且つ他端を荷台９の後方に配置した紐部材７と、荷台９を覆うと共に固定フレーム２と可動フレーム１に取付けた防水シート８とから成る構造とする。【選択図】図１
0003144576.tif 000002
【実用新案登録請求の範囲】
【請求項１】
略コの字状の複数本の可動フレーム（１）と、該可動フレーム（１）と同形で荷台（９）の前部に固定した固定フレーム（２）と、前記荷台（９）両側の側板（91）の上面に沿って取付けられたガイドレール（３）と、そのガイドレール（３）内部で滑動すると共に前記可動フレーム（１）の両端に固着させて前記可動フレーム（１）を自立させるための滑動部材（４）と、前記固定フレーム（２）の一端側に取付けた滑車（５）と、前記固定フレーム（２）の他端側に取付けた２連滑車（６）と、一端を最後方の前記可動フレーム（１）に結び付けると共に中間部を前記滑車（５）と前記２連滑車（６）に通し且つ他端を前記荷台（９）の後方に配置して引寄せ可能とした紐部材（７）と、前記荷台（９）を覆うと共に前記固定フレーム（２）と前記可動フレーム（１）に取付けられる防水シート（８）とから構成したことを特徴とする貨物自動車用開閉テント。
【請求項２】
前記ガイドレール（３）が、その上面にスリット（31）を形成させた筒体である請求項１記載の貨物自動車用開閉テント。
【請求項３】
前記滑動部材（４）が、前記可動フレーム（１）の端部に固着させた支持駒（41）と、該支持駒（41）の前後にそれぞれ一対に配した回動自在なローラー（42）とから少なくとも成された請求項１記載の貨物自動車用開閉テント。
【請求項４】
前記紐部材（７）が、一端を最後方の前記可動フレーム（１）に結び付けると共に中間部を前記２連滑車（６）の１つに通し且つ他端を前記荷台（９）の後方に配置して引寄せ可能とした操作紐（71）と、一端を最後方の前記可動フレーム（１）に結び付けた箇所と反対側箇所の前記可動フレーム（１）に結び付けると共に中間部を前記滑車（５）に通し且つ前記２連滑車（６）の通されていない方に通し更に他端を前記操作紐（71）に結び付けて同時に引寄せ可能とした従属紐（72）とから成された請求項１記載の貨物自動車用開閉テント。
【考案の詳細な説明】
【技術分野】
【０００１】
本考案は貨物自動車の荷台に於いて、蛇腹状に伸縮し得る貨物自動車用開閉テントに関する。
【背景技術】
【０００２】
一般に貨物自動車の荷台の覆いとして用いられるスライド式開閉テントとしては、実用新案登録第３１３８２６８号「自動式開閉テント」がある。この構造は、複数本の門型のテントフレームが互いに中継部材を介して連結枢支され、該テントフレームにテント生地を支持させ、前記テントフレーム同士が接離自在にスライドするものであって、前記テントフレームのスライド方向に沿い、駆動モーターによって回転する雄ネジロッドが配置され、前記テントフレームは、前記雄ネジロッドに螺合貫通されて同雄ネジロッドの回転力によりスライド方向に移動する可動フレームと、前記雄ネジロッドにスライド自在な状態で挿通される移動フレームとから構成されたものであり、更に貨物車両の荷台両側に設けられた側板の上端に沿って取付けられるガイドレールと、該ガイドレール内に前後方向に移動可能な状態で収納される車輪と、車輪上に立設されるアーチ形状のテントフレームと、該テントフレームとの間に連結枢支されるパンタグラフ状の中継リングロッドから構成され、テントフレームを構成する可動フレームが雄ネジロッドに螺合貫通されると共に、移動フレームは雄ネジロッドにスライド自在な状態で挿通されたものである。
【０００３】
しかしながら実用新案登録第３１３８２６８号は駆動モーターが搭載されており、且つスライド式開閉テントの開閉機構が複雑なため、製作費が高く且つ重量の増加となっていた。またテントフレームの下部が、ガイドレールのスリット内を移動可能な状態で挿入されると共に可動フレームが雄ネジロッドに螺合貫通されているため、可動フレームの移動が遅く素早い開閉が困難であり、且つ、雄ネジロッドにゴミが付着すると作動不良を起こし易くなる等の問題点があった。
【特許文献１】実用新案登録第３１３８２６８号公報
【考案の開示】
【考案が解決しようとする課題】
【０００４】
本考案は軽くて安価に製作できると共に防水シートの開閉が素早く行え、且つ維持管理が極めて簡単である貨物自動車用開閉テントを提供することを目的とする。
【０００５】
本考案の他の目的は、設置が極めて簡単に誰にでも行える貨物自動車用開閉テントを提供するにある。
【課題を解決するための手段】
【０００６】
本考案は上記問題点を解消するために成されたものであり、つまり、略コの字状の複数本の可動フレームと、該可動フレームと同形で荷台の前部に固定した固定フレームと、荷台両側の側板の上面に沿って取付けたガイドレールと、そのガイドレール内部で滑動すると共に可動フレームの両端に固着させてその可動フレームを自立させるための滑動部材と、固定フレームの一端側に取付けた滑車と、固定フレームの他端側に取付けた２連滑車と、一端を最後方の可動フレームに結び付けると共に中間部を滑車と２連滑車に通し且つ他端を荷台の後方に配置して引寄せ可能とした紐部材と、荷台を覆うと共に固定フレームと可動フレームに取付けられる防水シートとから構成する。また前記ガイドレールとして、上面にスリットが形成された筒体を用いると良く、前記滑動部材として、可動フレームの端部に固着させた支持駒と、該支持駒の前後にそれぞれ一対に配した回動自在なローラーとから少なくとも成されたものとしても良い。又、前記紐部材として、一端を最後方の可動フレームに結び付けると共に中間部を２連滑車の１つに通す操作紐と、一端を最後方の可動フレームに結び付けた箇所と反対側箇所の可動フレームに結び付けると共に中間部を滑車に通し且つ２連滑車の通されていない方に通し更に他端を操作紐に結び付けて同時に引寄せ可能とした従属紐とから成されたものとするのが好ましい。
【０００７】
尚、本考案で言う「可動フレームを自立させる」とは、可動フレーム自体が起立状態を維持出来ることを指し、本考案で言う「２連滑車」とは、滑車が２個配置されたものを指す。また本考案で言う「最後方の可動フレーム」とは、可動フレームが荷台の一番後寄りのものを指し、本考案で言う「結び付けた箇所と反対側箇所の可動フレーム」とは、可動フレームの結び付けた略コの字状の一端と反対側の端部を指すものとする。更に本考案で言う「引寄せ可能とした紐部材」とは、荷台の後方から紐の操作が行えることを指すものとする。
【考案の効果】
【０００８】
請求項１のように複数本の可動フレーム（１）と、固定フレーム（２）と、側板（91）の上面に沿って取付けたガイドレール（３）と、そのガイドレール（３）内部で滑動すると共に可動フレーム（１）の両端に固着させた滑動部材（４）と、固定フレーム（２）の一端側に取付けた滑車（５）と、固定フレーム（２）の他端側に取付けた２連滑車（６）と、一端を最後方の可動フレーム（１）に結び付けると共に中間部を滑車（５）と２連滑車（６）に通した紐部材（７）と、固定フレーム（２）と可動フレーム（１）に取付けられた防水シート（８）とから構成することにより、本考案は軽くて安価に製作できると共に防水シート（８）の開閉が素早く行え、且つゴミが滑動部材（４）に付着しても作動に悪影響が殆ど及ばないため、維持管理が極めて簡単なものとなる。又、貨物自動車の両側板（91）を利用して本考案品を取付けることが出来るため、誰にでも簡単に本考案品の設置が行えるものとなる。
【０００９】
請求項２のようにガイドレール（３）として、上面にスリット（31）が形成された筒体を用いることにより、より構造が簡単となり、製作費が安価で且つ取付けも容易なものとなる。
【００１０】
請求項３に示すように滑動部材（４）として、可動フレーム（１）の端部に固着させた支持駒（41）と、該支持駒（41）の前後にそれぞれ一対に配した回動自在なローラー（42）とから少なくとも成すことにより、可動フレーム（１）が自立され、倒れることがなくスムーズに移動することが出来るため、駆動モーターを使用せず、紐部材（７）で簡単に可動フレーム（１）の移動が可能となると共に人力で簡単に移動できるものとなるため、使い勝手が良く、且つ故障も殆どないものとなる。
【００１１】
請求項４に示すように紐部材（７）として、一端を最後方の可動フレーム（１）に結び付けると共に中間部を２連滑車（６）の１つに通し且つ他端を荷台（９）の後方に配置して引寄せ可能とした操作紐（71）と、一端を最後方の可動フレーム（１）に結び付けた箇所と反対側箇所の可動フレーム（１）に結び付けと共に中間部を滑車（５）に通し且つ２連滑車（６）の通されていない方に通し更に他端を操作紐（71）に結び付けて同時に引寄せ可能とした従属紐（72）とから成すことにより、１本の紐を後方へ引寄せるだけで、荷台（９）の上部が覆われた防水シート（８）を簡単に且つ素早く開くことが出来るものとなる。
【考案を実施するための最良の形態】
【００１２】
図１〜図４は本考案の実施形態を示す図であり、これに基づき説明する。(１)は略コの字状の複数本の可動フレームであり、該可動フレーム（１）は強度と軽量化を考慮して金属製又は合成樹脂製のパイプ材が使用されるのが好ましい。（２）は可動フレーム（１）と同形の固定フレームであり、該固定フレーム（２）は、後述するガイドレール（３）の上面前部に起立して固定されている。（３）は荷台（９）両側の側板（91）の上面に沿って取付けた筒状のガイドレールであり、該ガイドレール（３）の上面にはスリット（31）が形成されている。また前記ガイドレール（３）は側板（91）の上面に図示しないタッピングネジで直接固定するか、或いは側板（91）を跨ぐ図示しない取付部を設け、該取付部から側板（91）を貫通させるボルトとネジで固定させたものとしても良い。
【００１３】
（４）はガイドレール（３）の内部で滑動すると共に可動フレーム（１）の両端に固着させて可動フレーム（１）を自立させるための滑動部材であり、該滑動部材（４）には、各可動フレーム（１）の端部に固着させた矩形状の支持駒（41）と、該支持駒（41）の前後にそれぞれ一対に配した回動自在なローラー（42）と、該ローラー（42）が回転自在に支持駒（41）に軸支する回転軸（43）とがある（図３、図４参照）。（５）は図２に示すように固定フレーム（２）の左端側に取付けた滑車であり、（６）は図２に示すように固定フレーム（２）の右端側に取付けた２連滑車であり、ダブル滑車とも言われている。また前記２連滑車（６）と滑車（５）は市販品、例えば、通販の楽天市場で検索すると滑車が掲載される一般のもの及び滑車が２個の２連のものを用いると良い。尚、前記２連滑車（６）と滑車（５）は紐を掛けた際、外れないように枠や案内部が設けられたものを用いるのが好ましい。
【００１４】
（７）は一端を最後方の可動フレーム（１）に結び付けると共に中間部を滑車（５）と２連滑車（６）に通し且つ他端を荷台（９）の後方に配置して引寄せ可能とした紐部材であり、該紐部材（７）には、一端を最後方の可動フレーム（１）の右下端に結び付けると共に中間部を２連滑車（６）の１つに通し且つ他端を荷台（９）の後方に配置して引寄せ可能とした操作紐（71）と、一端を最後方の可動フレーム（１）の左下端に結び付けると共に中間部を滑車（５）に通し且つ２連滑車（６）の通されていない方に通し更に他端を操作紐（71）に結び付けて同時に引寄せ可能とした従属紐（72）とがある。尚、図２に於いて、前記操作紐（71）は点線で、従属紐（72）は１点鎖線で示すように配置されている。（８）は荷台（９）を覆うと共に固定フレーム（２）と可動フレーム（１）に図示しない取付紐などを介して取付けられた防水シートであり、該防水シート（８）としては、ビニールシートやテント生地などを用いると良い。又、前記防水シート（８）の裏面には、等間隔に可動フレーム（１）が配置されるように図示しない取付紐を取付けていると共に、各可動フレーム（１）間で蛇腹状に折畳まれるように折目を入れておくと良い。
【００１５】
次に本考案品を荷台（９）に取付ける方法について説明する。予め可動フレーム（１）の両端に滑動部材（４）を固着させ、各滑動部材（４）をガイドレール（３）内部に挿入させて複数本の可動フレーム（１）を配置させる。次にガイドレール（３）を荷台（９）の側板（91）上面に載せると共にスリット（31）の開口側を荷台（９）の前側にして配置させる。そしてタッピングネジ或いはボルトとナットなどによってガイドレール（３）を側板（91）の上面に固定する。その後、スリット（31）の開口側の上面に固定フレーム（２）の下端を溶接などで固定させる。この結果、可動フレーム（１）は抜けることがなくなると共に各可動フレーム（１）が独立して移動でき且つそれが倒れずに自立して移動可能なものとなるのである。
【００１６】
その後、図２に示すように固定フレーム（２）の左下端部に滑車（５）を取付けると共に、固定フレーム（２）の右下端部に２連滑車（６）を取付ける。次に最後方（図中の最下部）の可動フレーム（１）の右下端部に操作紐（71）の一端を結び付けて固定すると共に中間部を２連滑車（６）の１つに通し且つ他端が荷台（９）の後方（下方）に至るまでの長さを確保する。また最後方の可動フレーム（１）の左下端部に従属紐（72）の一端を結び付けて固定し且つ中間部を滑車（５）に通し更に２連滑車（６）の通されていない方に通す。そして従属紐（72）の他端を操作紐（71）の中間部に結び付け、操作紐（71）を引張れば従属紐（72）も一緒に引張られるようにさせておく。
【００１７】
次にビニールシートやテント生地などの防水シート（８）に取付けられた図示しない取付紐を、先ず始めに固定フレーム（２）に結び付けて防水シート（８）の一端側を固定する。そして前記取付紐を順次可動フレーム（１）に結び付ける（図６参照）。すると、防水シート（８）は可動フレーム（１）が図６（ｄ）のように後方へ移動すれば伸び（広がり）、可動フレーム（１）が前方（運転席側）へ移動すれば縮み（弛み）、防水シート（８）は図６（ｃ）のように蛇腹状に取付けられるのである。尚、防水シート（８）が閉められた後、図示しない締結部材によって防水シート（８）の周囲は荷台（９）側に固定されるのである。又、本考案品を荷台（９）に取付ける方法は上記方法に限定されるものではない。
【００１８】
図５は本考案の作用を示す図であり、この図に基づいて説明する。予め図６に示すように防水シート（８）は荷台（９）の上部を覆うようにしておく。先ず始めに防水シート（８）が開けられる場合について説明する。先ず防水シート（８）の周囲を取外してフリーにさせておく。そして防水シート（８）の後方を捲って操作紐（71）をつかみ、その操作紐（71）を、図中の点線矢印のように引張る［図５（ａ）参照］。すると、最後方（一番下方）の可動フレーム（１）が図中の矢印のように前方（上方）へ移動され、前の可動フレーム（１）に固着した滑動部材（４）に、最後方の可動フレーム（１）の滑動部材（４）が当接する［図５（ｂ）参照］。この時、可動フレーム（１）の両端は、操作紐（71）と従属紐（72）とによって同時に引張られる。また防水シート（８）は図６（ａ）のように折畳まれる。前記操作紐（71）を更に引張って行くと、最後方の可動フレーム（１）は、図６（ｂ）に示すように前の可動フレーム（１）を伴って前方（右側）へ移動して行くのである［図５（ｃ）参照］。このようにして順次前の可動フレーム（１）を伴って前方（右側）へ移動して行くと、図５（ｄ）の２点鎖線のように前方へ或いは図６（ｃ）のように右側へ可動フレーム（１）がまとめられるのである。この状態が防水シート（８）の全開状態であり、防水シート（８）は蛇腹状に折畳まれるのである。このように１本の紐を引張ることにより、各可動フレーム（１）がスリット（31）に沿って順にスムーズに移動され、防水シート（８）が全開するのである。尚、前記防水シート（８）の一部を開く場合には、操作紐（71）を引張らずに、前記可動フレーム（１）の一部を手でつかみ、そのまま移動させて防水シート（８）を開いても良い。
【００１９】
次に防水シート（８）を閉める場合について説明する。先ず最後方の可動フレーム（１）の中央を手で持って人力で引張り元の位置まで引き戻せば良い［図５（ｄ）、図６（ｄ）参照］。この時、各可動フレーム（１）は防水シート（８）によって連結されていると共に各可動フレーム（１）は自立し且つ複数個のローラー（42）によって、ガイドレール（３）内をスムーズに移動できるため、１つの可動フレーム（１）を引寄せれば、残りの可動フレーム（１）も防水シート（８）を介して引き戻されるのである。更にガイドレール（３）内に於いては、各可動フレーム（１）の端部が、図３に示すように左右方向でローラー（42）が規制されると共に図４に示すように前後方向に一対のローラー（42）が取付けられ、且つ、各可動フレーム（１）は左右のガイドレール（３）を跨ぎ、該ガイドレール（３）内のローラー（42）は左右に傾くことなく、ぐらつくこともないものとなるため、各可動フレーム（１）の移動がスムーズとなり、スリット（31）からゴミが多少入ってもローラー（42）の動きに悪影響されないものとなる。この時、紐部材（７）は可動フレーム（１）の戻りに伴なって元の位置に自動的に戻される。その後、従来の防水シート（８）を覆う場合と同じように、図示しない締結部材によって防水シート（８）の周囲を荷台（９）側に固定させれば良い。
【図面の簡単な説明】
【００２０】
【図１】本考案の実施形態の要部を示す説明図である。
【図２】荷台の上方から見た本実施形態の要部を示す説明図である。
【図３】本実施形態の自立する可動フレームの要部を示す説明図である。
【図４】本実施形態の自立する可動フレームの端部の状態を示す説明図である。
【図５】荷台の上方から見た本考案の作用を示す説明図である。
【図６】側面から見た本考案の作用を示す説明図である。
【符号の説明】
【００２１】
１  可動フレーム
２  固定フレーム
３  ガイドレール
31  スリット
４  滑動部材
41  支持駒
42  ローラー
５  滑車
６  ２連滑車
７  紐部材
71  操作紐
72  従属紐
８  防水シート
９  荷台
91  側板
【図１】
0003144576.tif 000003
【図２】
0003144576.tif 000004
【図３】
0003144576.tif 000005
【図４】
0003144576.tif 000006
【図５】
0003144576.tif 000007
【図６】
0003144576.tif 000008